(57)【要約】【課題】トレーの複数の仕切り区画毎に、青果等用のパック受け台を設けることによって、トレーの底面に対し、直接、青果等の重みが掛かるのを避け、青果等が傷まないようにするトレーを提供する。【解決手段】一枚の段ボール１００から折り上げられた一体形の箱４００の中に、中仕切り５００を形成してなるトレー６００であって、パック受け台が、側壁から拡開された支持片と、中仕切り５００とによって形成され、前記パック受け台がパックの周縁を掛架支持するように配置される。【選択図】      図５
2004276954.tif 000002
【特許請求の範囲】
【請求項１】
一枚の段ボール１００から折り上げられた一体形の箱４００の中に、中仕切り５００を形成してなるトレー６００であって、パック受け台が、側壁から拡開された支持片と、中仕切り５００とによって形成され、前記パック受け台がパックの周縁を掛架支持するように配置されたことを特徴とする中仕切りを備えたトレー。
【請求項２】
前記パック受け台が、左右側壁２から拡開された支持片５と、縦仕切片２１から拡開された支持片２２と、横仕切り頂面３２とから形成されてなる請求項１記載の中仕切りを備えたトレー。
【請求項３】
前記パック受け台が、前後側壁３から拡開された支持片６と、縦仕切片２１から拡開された支持片２２と、横仕切り頂面３２とから形成されてなる請求項１記載の中仕切りを備えたトレー。
【請求項４】
前記パック受け台が、前後側壁３から拡開された支持片６と、縦仕切り頂面２６と、前記縦仕切片２１に設けた支持片２７と、横仕切り頂面３２とから形成されてなる請求項１記載の中仕切りを備えたトレー。
【請求項５】
前記パック受け台が、左右側壁２から拡開された支持片５と、左右側壁２から拡開された支持片２９と、縦仕切片２１から拡開された支持片２２と、縦仕切片２１から拡開された支持片３０とから形成されてなる請求項１記載の中仕切りを備えたトレー。
【請求項６】
前記パック受け台が、左右側壁２から拡開された支持片５と、左右側壁２から拡開された支持片２９と、縦仕切片２１に設けられた支持片５１とから形成されてなる請求項１記載の中仕切りを備えたトレー。
【請求項７】
前記パック受け台が、左右側壁２から拡開された支持片５と、左右側壁２から拡開された支持片２９と、縦仕切片２１に設けられた支持片５３とから形成されてなる請求項１記載の中仕切りを備えたトレー。
【請求項８】
前記パック受け台が、左右側壁２から拡開された支持片５と、左右側壁２から拡開された支持片２９と、縦仕切片２１に設けられた支持片５４とから形成されてなる請求項１記載の中仕切りを備えたトレー。
【発明の詳細な説明】
【０００１】
【発明の属する技術分野】
本発明は、一枚の段ボールから折り上げられた一体形の箱と、別個に折り上げた十文字形の中仕切とを組み合わせたトレーに関する。特に、複数の仕切り区画毎に、青果等用のパック受け台を形成させたトレーに関する。そして、パック受け台によって、パックの底を浮かせるようにして、トレーの底面に対し、直接、青果等の重みが掛かるのを避けることにより、青果等が傷まないようにしたトレーを提供する。
【０００２】
【従来の技術】
本件出願人は、苺パック用トレーについて、先に、「特開平９−２４０６５５号」、「特開平９−２４０６５６号」、「特開平９−３０９５２４号」および「特開平１０−３２９８２３号」等を特許出願している。上記の先願発明のものは、いずれも、パックの底を浮かせること無く、直接、トレーの底面にパックを置いて使用するものである。
【０００３】
そのため、苺等青果の重みが、直接青果自体に掛かるので、パックの中で一番底のものが傷み易い等の問題を抱えていた。
【０００４】
【発明が解決しようとする課題】
本発明は、上記事情に鑑みて、トレーの複数の仕切り区画毎に、青果等用のパック受け台を設けることによって、トレーの底面に対し、直接、青果等の重みが掛かるのを避け、青果等が傷まないようにするトレーを提供するもので、苺等に用いることが好適である。
【０００５】
【課題を解決するための手段】
上記目的を達成するために、請求項１の発明は、一枚の段ボール１００から折り上げられた一体形の箱４００の中に、中仕切り５００を形成してなるトレー６００であって、パック受け台が、側壁から拡開された支持片と、中仕切り５００とによって形成され、前記パック受け台がパックの周縁を掛架支持するように配置されたものである。
【０００６】
また、請求項２の発明は、前記パック受け台が、左右側壁２から拡開された支持片５と、縦仕切片２１から拡開された支持片２２と、横仕切り頂面３２とから形成されてなる請求項１記載の中仕切りを備えたトレーである。
【０００７】
また、請求項３の発明は、前記パック受け台が、前後側壁３から拡開された支持片６と、縦仕切片２１から拡開された支持片２２と、横仕切り頂面３２とから形成されてなる請求項１記載の中仕切りを備えたトレーである。
【０００８】
また、請求項４の発明は、前記パック受け台が、前後側壁３から拡開された支持片６と、縦仕切り頂面２６と、前記縦仕切片２１に設けた支持片２７と、横仕切り頂面３２とから形成されてなる請求項１記載の中仕切りを備えたトレーである。
【０００９】
また、請求項５の発明は、前記パック受け台が、左右側壁２から拡開された支持片５と、左右側壁２から拡開された支持片２９と、縦仕切片２１から拡開された支持片２２と、縦仕切片２１から拡開された支持片３０とから形成されてなる請求項１記載の中仕切りを備えたトレーである。
【００１０】
また、請求項６の発明は、前記パック受け台が、左右側壁２から拡開された支持片５と、左右側壁２から拡開された支持片２９と、縦仕切片２１に設けられた支持片５１とから形成されてなる請求項１記載の中仕切りを備えたトレーである。
【００１１】
また、請求項７の発明は、前記パック受け台が、左右側壁２から拡開された支持片５と、左右側壁２から拡開された支持片２９と、縦仕切片２１に設けられた支持片５３とから形成されてなる請求項１記載の中仕切りを備えたトレーである。
【００１２】
また、請求項８の発明は、前記パック受け台が、左右側壁２から拡開された支持片５と、左右側壁２から拡開された支持片２９と、縦仕切片２１に設けられた支持片５４とから形成されてなる請求項１記載の中仕切りを備えたトレーである。
【００１３】
【発明の実施の形態】
本発明の実施の形態を、添付図面に例示した本発明の実施例に基ずいて以下に具体的に説明する。
【００１４】
先ず、本発明の第一実施例ついて、図１〜図６を参照しながら説明する。図１は、第一実施例の箱４００Ａの展開図で、段ボール１００Ａである。図２は、同上、トレーの縦仕切りの展開図で、段ボール２００Ａである。図３は、同上、トレーの横仕切りの展開図で、段ボール３００Ａである。図４は、同上、折り上がったトレー６００Ａを示す斜視図である。図５は、同上、折り上がったトレー６００Ａの一箇所に、パック７００を載せた状態を示す平面図である。図６は、同上、パック７００の斜視図である。
【００１５】
ほぼ矩形状をした段ボール１００Ａには、所定の複数箇所に折り目や切れ目等を設けてあるので、それらの設け方について以下に説明する。図１に示すように、段ボール１００Ａは、その左右方向の中央部を占める方形域を底面１Ａとし、その左右両側辺には、後述する箱４００Ａの左右の側壁となる左右側壁２Ａを、主折り目Ｋを介して連接している。この左右側壁２Ａは、二枚重ね状に折り曲げて側壁を補強するための二重折り目Ｌを設けている。さらに、両側の左右側壁２Ａには、外側端部に、パックを掛架支持する支持片５Ａと、折り目Ｌ上に二箇所の突起１０Ａを設けている。ここで、支持片５Ａは、二重折り目Ｌに次いで、主折り目Ｋを折る際に、後述する前後側壁３Ａに当接し、折り目Ｎに沿って、強制的に拡開される。また、二重折り目Ｌを折り上げる際に、折り目Ｐを頂辺として、この両側の折り目Ｒに沿ってＶ字形に突起１０Ａが二箇所形成される。
【００１６】
また、底面１Ａの前後両側辺には、箱４００Ａの前後側壁３Ａを、主折り目Ｍを介して連接している。さらに、前後側壁の両側には、折り目Ｓを介して、補助片４Ａと連接している。また、補助片の上側の両端部には、補助片折り目Ｔを介して、当接片１３Ａを設けている。
【００１７】
ここで、箱４００Ａとは、ほぼ矩形状をした段ボール１００Ａから、折り目に沿って、左右側壁および前後側壁として、立ち上げた直方体状のものである。後述する十字形中仕切りを組み込む前の状態のものである。後述する第二〜第五実施例についても同様である。
【００１８】
次に、第一実施例の十字形中仕切りについて、以下に説明する。図２に示すように、縦仕切段ボール２００Ａは、ミシン目Ｙの両側に縦仕切片２１Ａを設けている。縦仕切片の両側は、折り目Ｗを介して、パックを掛架支持する支持片２２Ａと、中央部には、係止片２３Ａと、この両側に切欠け部２４Ａを設けている。一方、図３に示すように、横仕切段ボール３００Ａは、二本の折り目Ｚの両側に横仕切り片３１Ａと、この中央部には切欠部３３Ａを設けている。先ず、縦仕切段ボール２００Ａのミシン目Ｙに沿って、両側の縦仕切片２１Ａを折り曲げる。同様にして、横仕切段ボール３００Ａの折り目Ｚに沿って、頂面３２Ａが形成されるように、両側の横仕切片３１Ａを折り曲げる。次いで、折り曲げた縦仕切片を、同じく折り曲げた横仕切片に連結する。この際、縦仕切片の係止片２３Ａおよび切欠部２４Ａを、横仕切片３１Ａの切り欠け部３３Ａに噛み合わせることにより、十文字形仕切り５００Ａ（図４に示す）ができ上がる。
【００１９】
一方、図４に示すように、底面１Ａを中心にして、両側の左右側壁２Ａと前後側壁３Ａを折り上げると、一体型の箱４００Ａが出来上がる。左右側壁２Ａを折り込む際、左右側壁２Ａの両端部の支持片５Ａの先端部を、前後側壁３Ａに押し付け、開き気味に当接させながら、折り目Ｎに沿って強制的に拡開させると、パックを掛架支持する支持片５Ａがトレーの四隅に形成される。この箱４００Ａに、前記した十文字形仕切りを、四方の側壁内に嵌め込むように底面１の上に載せると、トレー６００Ａが出来上がる。また、この時、縦仕切片２１Ａの両先端の支持片２２Ａの先端部を、前後側壁３Ａに開き気味に当接させながら、折り目Ｗに沿って強制的に拡開させる。こうして、パックを受ける支持片２２Ａがトレー６００Ａの縦仕切片２１Ａの両端の四箇所に形成される。
【００２０】
箱４００Ａが折り上げられる過程について、補足説明する。左右側壁２Ａを内側に折り込む際、先端部の二箇所の係止片９Ａ（図１に示す）は、底面１に設けられた四箇所の係止孔７Ａに挿嵌される。この時、係止片が辺８Ａに当接するので、左右側壁２Ａが、トレーの左右方向で固着される。また、補助片４Ａの当接片１３Ａが、二重壁を形成する左右側壁２Ａの頂面１４Ａの裏側から当接する。また、補助片４Ａの突片１１Ａの先端部が底面１に当接する。これらにより、二重壁を形成する左右側壁２Ａの頂面１４Ａが天地の方向で補強され、段積みの荷重を受けることができる。また、左右側壁２Ａの頂面１４Ａに形成された、それぞれ二箇所の突起１０Ａは、段積みの際に、係止孔７Ａに挿嵌され、位置決めの作用をする。
【００２１】
最後に、パック受け台の形成について説明する。図５には、トレー６００Ａの四半区画の一つに、パック７００を載せた状態を示す。また、図６に示すように、パック７００は、底７１、横縁７２、隅縁７３、縦縁７４等から構成される。これは、青果等をパック詰めするための入れ物である。図５に示すように、トレーの四隅に形成される支持片５Ａはパックの隅縁７３を受け、縦仕切片の両端の四箇所に形成される支持片２２Ａはパックの隅縁７３を受け、そして、横仕切片の頂面３２Ａは横縁７２を受ける。以上のようにして、トレー６００Ａの四半区画毎にパック受け台が形成される。本図５では、四区画にパック受け台が形成される。ここで、それぞれ、支持片および頂面の、底面１Ａからの高さ寸法は、パックの深さ寸法より大きい。そのため、パックの縁部は、支持片５Ａと支持片２２Ａと横仕切片の頂面３２Ａとの三箇所で、支えられながら、パックの底面７１は、トレー６００Ａの底面１Ａに接触することなく、浮いた状態を保つことができる。
【００２２】
以下第二〜第十実施例に示す青果等用のパック受け台も、第一実施例のものと共通した機能を果たす。即ち、パック受け台は、トレーの側壁や仕切り片から拡開された支持片あるいは十字形中仕切りとで形成されるものである。そして、パック受け台は、パックの隅縁、縦縁あるいは横縁を掛架支持する。以上のようにして、パック受け台がトレーの四半区画毎に形成される。それぞれ、パック受け台の支持片および頂面の底面からの高さ寸法は、パックの深さ寸法より大きい。そのため、パックの周縁部は、支持片あるいは仕切片によって、複数箇所で支えられながら、パックの底面は、トレーの底面に接触することなく、浮いた状態を保つことができるものである。
【００２３】
次に、本発明の第二実施例ついて、図７〜図１１を参照しながら説明する。図７は、箱４００Ｂの展開図で、段ボール１００Ｂである。図８は、同上、トレーの縦仕切りの展開図で、段ボール２００Ｂである。図９は、同上、トレーの横仕切りの展開図で、段ボール３００Ｂである。図１０は、同上、折り上がったトレー６００Ｂを示す斜視図である。図１１は、同上、折り上がったトレー６００Ｂの一箇所に、パック７００を載せた状態を示す平面図である。なお、以下の実施例の各図面に符号を付して示した各部分のうち、第一実施例の各図面と共通する符号を付した部分は、互いに共通した機能を果たす部分である。
【００２４】
ほぼ矩形状をした段ボール１００Ｂには、所定の複数箇所に折り目や切れ目等を設けてあるので、それらの設け方について以下に説明する。図７に示すように、段ボール１００Ｂは、その左右方向の中央部を占める方形域を底面１Ｂとし、その左右両側辺には、箱４００Ｂの左右の側壁となる左右側壁２Ｂを、主折り目Ｋを介して連接している。この左右側壁２Ｂは、二枚重ね状に折り曲げて側壁を補強するための二重折り目Ｌを設けている。さらに、左右側壁２Ｂの両端延長部には、補助片を設けている。二重壁２Ｂの内側には、補助片４Ｂを、外側には、補助片１５Ｂを設けている。
【００２５】
また、底面１Ｂの前後両側辺には、箱４００Ｂの前後の側壁となる前後側壁３Ｂを、主折り目Ｍを介して連接している。この前後側壁３Ｂは、二枚重ね状に折り曲げて側壁を補強するための二重折り目Ｑを設けている。さらに、外側の前後側壁３Ｂには、外側端部に二箇所、パックを掛架支持する支持片６Ｂを設けている。ここで、支持片６Ｂの先端部は、二重折り目Ｑに次いで、主折り目Ｍに沿って折る際に、後述する左右側壁２Ｂに当接して強制的に拡開される。
【００２６】
次に、十字形中仕切り５００Ｂについて、以下に説明する。図８に示すように、縦仕切り段ボール２００Ｂは、ミシン目Ｙの両側に縦仕切片２１Ｂで構成されている。縦仕切り片の両端部には、折り目Ｗを介して、パックの支持片２２Ｂと、中央部には、係止片２３Ｂと、この両側に切り欠け部２４Ｂを設けている。一方、図９に示すように、横仕切り段ボール３００Ｂは、二本の折り目Ｚの両側に横仕切片３１Ｂで構成されている。中央部には切欠部３３Ｂを設けている。先ず、縦仕切り段ボール２００Ｂのミシン目Ｙに沿って、両側の縦仕切片２１Ｂを折り曲げる。同様にして、横仕切り段ボール３００Ｂの折り目Ｚに沿って、頂面３２Ｂが形成されるように、両側の横仕切片３１Ｂを折り曲げる。次いで、折り曲げた縦仕切り片を、同じく折り曲げた横仕切り片に連結する。この際、縦仕切片の係止片２３Ｂおよび２４Ｂを、横仕切片３１Ｂの切り欠け部３３Ｂに噛み合わせることにより、十文字形中仕切り５００Ｂ（図１０に示す）ができ上がる。
【００２７】
一方、図１０に示すように、底面１Ｂを中心にして、両側の左右側壁２Ｂと前後側壁３Ｂを折り上げると、箱４００Ｂが出来上がる。前後側壁３Ｂを折り込む際、前後側壁３Ｂの支持片６Ｂの先端部を、左右側壁２Ｂに開き気味に当接させながら、折り目Ｎに沿って強制的に拡開させると、パックを掛架支持する支持片６Ｂが箱４００Ｂの四隅に形成される。この、トレーに、上記した、十文字形の中仕切りを、四方の側壁内に嵌め込むようにしてトレーの底面１Ｂの上に載せると、トレー６００Ｂが出来上がる。また、この時、縦仕切片２１Ｂの両先端の支持片２２Ｂの先端部を、前後側壁３Ｂに開き気味に当接させながら、折り目Ｗに沿って強制的に拡開させる。こうして、パックを掛架支持する支持片２２Ｂがトレー６００Ｂの縦仕切り片２１Ｂの両端の四箇所に形成される。
【００２８】
箱４００Ｂが折り上げられる過程について、補足説明する。前後側壁３Ｂを内側に折り込む際、先端部の二箇所の係止片９Ｂ（図７に示す）は、底面１Ｂに設けられた四箇所の係止孔７Ｂに挿嵌される。この時、係止片が辺８Ｂに当接するので、前後側壁３Ｂが、トレーの前後方向で固着される。また、左右側壁２Ｂの頂面１４Ｂに形成された、各二箇所の突起１６Ｂは、段積みの際、係止孔１７Ｂに挿嵌され、位置決めの作用をする。
【００２９】
最後に、パック受け台の形成について説明する。図１１には、トレー６００Ｂの四半区画の一つに、パック７００を載せた状態を示す。トレーの四隅に形成される支持片６Ｂはパックの隅縁７３を受け、縦仕切片の両端の四箇所に形成される支持片２２Ｂはパックの隅縁７３を受け、そして、横仕切片の頂面３２Ｂは横縁７２を受ける。以上のようにして、トレー６００Ｂの四半区画毎にパック受け台が形成される。本図では、四区画にパック受け台が形成される。ここで、それぞれ、支持片および頂面の、底面１Ｂからの高さ寸法は、パックの深さ寸法より大きい。そのため、パックの周縁部は、支持片６Ｂと支持片２２Ｂと横仕切片の頂面３２Ｂとの三箇所で、支えられながら、パックの底面７１は、トレー６００Ｂの底面１Ｂに接触することなく、浮いた状態を保つことができる。
【００３０】
次に、本発明の第三実施例ついて、図１２〜図１６を参照しながら説明する。図１２は、第三実施例の箱４００Ｃの展開図で、段ボール１００Ｃである。図１３は、同上、トレーの縦仕切りの展開図で、段ボール２００Ｃである。図１４は、同上、トレーの横仕切りの展開図で、段ボール３００Ｃである。図１５は、  同上、折り上がったトレー６００Ｃを示す斜視図である。図１６は、同上、折り上がったトレー６００Ｃの一箇所に、パック７００を載せた状態を示す平面図である。
【００３１】
ほぼ矩形状をした段ボール１００Ｃには、所定の複数箇所に折り目や切れ目等を設けてあるので、それらの設け方について以下に説明する。図１２に示すように、段ボール１００Ｃは、その左右方向の中央部を占める方形域を底面１Ｃとし、その左右両側辺には、箱４００Ｃの左右の側壁となる左右側壁２Ｃを、主折り目Ｋを介して連接している。この左右側壁２Ｃには、二枚重ね状に折り曲げて側壁を補強するための二重折り目Ｌを設けている。さらに、左右側壁２Ｃの両端延長部には、補助片を設けている。内側に、補助片４Ｃを、外側に、補助片１５Ｃを設けている。
【００３２】
また、底面１Ｃの前後両側辺には、トレー４００Ｃの前後の側壁となる前後側壁３Ｃを、主折り目Ｍを介して連接している。この前後側壁３Ｃは、二枚重ね状に折り曲げて側壁を補強するための二重折り目Ｑを設けている。さらに、二重の外側の前後側壁３Ｃには、外側端部に二箇所、パックを掛架支持する支持片６Ｃを設けている。ここで、支持片６Ｃの先端部は、二重折り目Ｑに次いで、主折り目Ｍに沿って折る際に、後述する左右側壁２Ｃに当接して強制的に拡開される。
【００３３】
次に、十字形中仕切り５００Ｃについて、以下に説明する。図１３に示すように、縦仕切り段ボール２００Ｃは、ミシン目Ｙの両側に縦仕切片２１Ｃで構成されている。縦仕切片の片端部には、パックの支持片２７Ｃと、中央部には、係止片２３Ｃと、この両側に切欠部２４Ｃを設けている。一方、図１４に示すように、横仕切り段ボール３００Ｃは、二本の折り目Ｚの両側に横仕切片３１Ｃで構成されている。中央部には係止片３５Ｃおよび切欠部３３Ｃを設けている。先ず、縦仕切り段ボール２００Ｃのミシン目Ｙに沿って、両側の縦仕切片２１Ｃを折り曲げる。同様にして、横仕切り段ボール３００Ｃの折り目Ｚに沿って、頂面３２Ｃが形成されるように、両側の横仕切片３１Ｃを折り曲げる。次いで、折り曲げた縦仕切り片を、同じく折り曲げた横仕切り片に連結する。この際、縦仕切片の係止片２３Ｃおよび切欠部２４Ｃを、横仕切片３１Ｃの係止片３５Ｃおよび切り欠け部３３Ｃに噛み合わせることにより、十文字形中仕切り５００Ｃ（図１５に示す）ができ上がる。
【００３４】
一方、図１５に示すように、底面１Ｃを中心にして、両側の左右側壁２Ｃと前後側壁３Ｃを折り上げると、箱４００Ｃが出来上がる。この時、二重壁２Ｃの両端延長部に設けた、補助片４Ｃおよび補助片１５Ｃは、前後側壁３Ｃの二重壁に挟まれた状態で折れ曲がる。前後側壁３Ｃを折る際、支持片６Ｃは、二重折り目Ｑに次いで、主折り目Ｍを折る際に、左右側壁２Ｃに当接し、折り目Ｎに沿って強制的に拡開される。そして、パックを掛架支持する支持片６Ｃが箱４００Ｃの四隅に形成される。この箱に、上記した、十文字形中仕切り５００Ｃを、四方の側壁内に嵌め込むようにトレーの底面１Ｃの上に載せると、トレー６００Ｃが出来上がる。また、縦仕切頂面２６Ｃの片端に支持片２７Ｃが形成される。
【００３５】
箱４００Ｃが折り上げられる過程について、補足説明する。前後側壁３Ｃを内側に折り込む際、先端部の二箇所の係止片９Ｃ（図１２に示す）は、底面１Ｃに設けられた四箇所の係止孔７Ｃに挿嵌される。この時、係止片が辺８Ｃに当接するので、前後側壁３Ｃが、トレーの前後方向で固着される。また、隅片４１Ｃの先端の係止片４２Ｃ（図１２に示す）が、折り目４４Ｃに沿って直角に折れ曲がり、左右側壁２Ｃの頂面１４Ｃに設けられた係止孔４３Ｃに、挿嵌される。これによって、左右側壁２Ｃと前後側壁３Ｃとの結合が強固になる。
【００３６】
最後に、パック受け台の形成について説明する。図１６には、トレー６００Ｃの四半区画の一つに、パック７００を載せた状態を示す。トレーの四隅に形成される支持片６Ｃはパックの隅縁７３を受け、縦仕切片の両端に形成される支持片２７Ｃはパックの隅縁７３を受け、縦仕切片頂面２６Ｃはパックの縦縁７４を受け、そして、横仕切片の頂面３２Ｃは横縁７２を受ける。以上のようにして、トレー６００Ｃの四半区画毎にパック受け台が形成される。本図では、四区画にパック受け台が形成される。ここで、それぞれ、支持片および頂面の、底面１Ｃからの高さ寸法は、パックの深さ寸法より大きい。そのため、パックの周縁部は、支持片６Ｃと支持片２７Ｃと縦仕切片頂面２６Ｃおよび横仕切片頂面３２Ｃとの四箇所で、支えられながら、パックの底面７１は、トレー６００Ｃの底面１Ｃに接触することなく、浮いた状態を保つことができる。
【００３７】
次に、本発明の第四実施例ついて、図１７〜図２１を参照しながら説明する。図１７は、第四実施例の箱４００Ｊの展開図で、段ボール１００Ｊである。図１８は、同上、トレーの縦仕切りの展開図で、段ボール２００Ｊである。図１９は、同上、トレーの横仕切りの展開図で、段ボール３００Ｊである。図２０は、  同上、折り上がったトレー６００Ｊを示す斜視図である。図２１は、同上、折り上がったトレー６００Ｊの一箇所に、パック７００を載せた状態を示す平面図である。
【００３８】
以下、第四〜第十実施例の各図面に符号を付して示した各部分のうち、第一〜第三実施例の各図面と共通する符号を付した部分は、互いに共通した機能を果たす部分である。従って、第四〜第十実施例については、箱の折り上げ方、係止等の方法、また、左右側壁および前後側壁あるいは十字形中仕切片からパックを係架支持するための支持片を形成する方法等も第一〜第三実施例と同様である。
【００３９】
本第四実施例の第一実施例との主たる相違点は、左右側壁と前後側壁との関係を入れ替えたところにある。即ち、本第四実施例では、前後側壁が二重になり、左右側壁が一重の構造である。
【００４０】
図１７に示すように、段ボール１００Ｊは、その左右方向の中央部を占める方形域を底面１Ｊとし、その前後両側辺には、箱４００Ｊの前後の側壁となる前後側壁３Ｊを、主折り目Ｍを介して連接している。この前後側壁３Ｊは、二枚重ね状に折り曲げて側壁を補強するための二重折り目Ｑを設けている。さらに、前後側壁３Ｊには、外側端部に二箇所、パックを掛架支持する支持片６Ｊと、折り目Ｑ上に二箇所の突起１０Ｊを設けている。ここで、支持片６Ｊは、二重折り目Ｑに次いで、主折り目Ｍを折る際に、左右側壁２Ｊに当接し、折り目Ｎに沿って強制的に拡開される。また、二重折り目Ｑを折り上げる際に、折り目Ｐを頂辺として、この両側の折り目Ｒに沿ってＶ字形に突起１０Ｊが二箇所形成される。
【００４１】
パック受け台の形成について説明する。図２１には、トレー６００Ｊの四半区画の一つに、パック７００を載せた状態を示す。トレーの四隅に形成される支持片６Ｊはパックの隅縁７３を受け、縦仕切片の両端に形成される支持片２２Ｊはパックの隅縁７３を受け、横仕切片の頂面３２Ｊはパックの横縁７２を受ける。以上のようにして、トレー６００Ｊの四半区画毎にパック受け台が形成される。本図では、四区画にパック受け台が形成される。ここで、それぞれ、支持片および頂面の、底面１Ｊからの高さ寸法は、パックの深さ寸法より大きい。そのため、パックの周縁部は、支持片６Ｊと支持片２２Ｊと横仕切片の頂面３２Ｊとの三箇所で、支えられながら、パックの底面７１は、トレー６００Ｊの底面１Ｊに接触することなく、浮いた状態を保つことができる。
【００４２】
次に、本発明の第五実施例ついて、図２２〜図２６参照しながら説明する。図２２は、本実施例の箱４００Ｋの展開図で、段ボール１００Ｋである。図２３は、同上、トレーの縦仕切りの展開図で、段ボール２００Ｋである。図２４は、同上、トレーの横仕切りの展開図で、段ボール３００Ｋである。図２５は、同上、折り上がったトレー６００Ｋを示す斜視図である。図２６は、同上、折り上がったトレー６００Ｋの一箇所に、パック７００を載せた状態を示す平面図である。
【００４３】
ほぼ矩形状をした段ボール１００Ｋには、所定の複数箇所に折り目や切れ目等を設けてあるので、それらの設け方について以下に説明する。図２２に示すように、段ボール１００Ｋは、その左右方向の中央部を占める方形域を底面１Ｋとし、その左右両側辺には、箱４００Ｋの左右の側壁となる左右側壁２Ｋを、主折り目Ｋを介して連接している。この左右側壁２Ｋは、二枚重ね状に折り曲げて側壁を補強するための二重折り目Ｌを設けている。さらに、左右側壁２Ｋの両端延長部には、補助片を設けている。内側に、補助片４Ｋを、外側に、補助片１５Ｋを設けている。さらに、左右側壁２Ｋには、補助片１５Ｋの内側に、パックを掛架支持する支持片５Ｋを設けている。ここで、支持片５Ｋの先端部は、二重折り目Ｌに次いで、主折り目Ｋに沿って折る際に、補助片４Ｋに当接し、折り目Ｎに沿って強制的に拡開される。また、底面１Ｋの前後両側辺には、トレー４００Ｋの前後の側壁となる前後側壁３Ｋを、主折り目Ｍを介して連接している。
【００４４】
次に、十字形中仕切りについて、以下に説明する。図２３に示すように、縦仕切段ボール２００Ｋは、ミシン目Ｙの両側に縦仕切片２１Ｋを設けている。縦仕切片の両側は、折り目Ｗを介して、パックを掛架支持する支持片２２Ｋと、中央部には、係止片２３Ｋと、この両側に切欠部２４Ｋを設けている。一方、図２４に示すように、横仕切段ボール３００Ｋは、二本の折り目Ｚの両側に横仕切片３１Ｋと、この中央部には切欠部３３Ｋを設けている。先ず、縦仕切段ボール２００Ｋのミシン目Ｙに沿って、両側の縦仕切片２１Ｋを折り曲げる。同様にして、横仕切段ボール３００Ｋの折り目Ｚに沿って、頂面３２Ｋが形成されるように、両側の横仕切片３１Ｋを折り曲げる。次いで、折り曲げた縦仕切片を、同じく折り曲げた横仕切片に連結する。この際、縦仕切片の係止片２３Ｋおよび切欠部２４Ｋを、横仕切片３１Ｋの切欠部３３Ｋに噛み合わせることにより、十文字形仕切り５００Ｋ（図２５に示す）ができ上がる。
【００４５】
一方、図２５に示すように、底面１Ｋを中心にして、左右側壁２Ｋと前後側壁３Ｋを折り上げると、箱４００Ｋが出来上がる。この時、二重壁２Ｋの両端延長部に設けた、補助片４Ｋおよび補助片１５Ｋは、上下側壁３Ｋの内側に折れ曲がる。左右側壁２Ｋを折り込む際、左右側壁２Ｋに設けた支持片５Ｋの先端部を、補助片４Ｋに開き気味に当接させながら、折り目Ｎに沿って強制的に拡開させると、パックを掛架支持する支持片５Ｋが箱４００Ｋの四隅に形成される。この箱に、上記した、十文字形中仕切り５００Ｋを、四方の側壁内に嵌め込むようにトレーの底面１Ｋの上に載せると、トレー６００Ｋが出来上がる。また、この時、縦仕切片２１Ｋの両先端に設けた支持片２２Ｋの先端部を、補助片４Ｋに開き気味に当接させながら、折り目Ｗに沿って強制的に拡開させる。こうして、パックを受ける支持片２２Ｋがトレー６００Ｋの縦仕切片２１Ｋの両端の四箇所に形成される。
【００４６】
箱４００Ｋが折り上げられる過程について、補足説明する。前後側壁３Ｋの両端に、隅片４１Ｋが、その先端には、折り目４４Ｋを介して、係止片４２Ｋが設けられている（図２２に示す）。ここで、隅片４１Ｋの先端の係止片４２Ｋが、折り目４４Ｋに沿って直角に折れ曲がり、左右側壁２Ｋの頂面１４Ｋに設けられた係止孔４３Ｋに、挿嵌される（２５図に示す）。これによって、左右側壁２Ｋと前後側壁３Ｋとの結合が強固になる。
【００４７】
パック受け台の形成について説明する。図２６には、トレー６００Ｋの四半区画の一つに、パック７００を載せた状態を示す。図２６に示すように、トレーの四隅に形成される支持片５Ｋはパックの隅縁７３を受け、縦仕切片の両端の四箇所に形成される支持片２２Ｋはパックの隅縁７３を受け、そして、横仕切片の頂面３２Ｋは横縁７２を受ける。以上のようにして、トレー６００Ｋの四半区画毎にパック受け台が形成される。本図２６では、四区画にパック受け台が形成される。ここで、それぞれ、支持片および頂面の、底面１Ａからの高さ寸法は、パックの深さ寸法より大きい。そのため、パックの縁部は、支持片５Ｋと支持片２２Ｋと横仕切片の頂面３２Ｋとの三箇所で、支えられながら、パックの底面７１は、トレー６００Ｋの底面１Ｋに接触することなく、浮いた状態を保つことができる。
【００４８】
次に、本発明の第六実施例ついて、図２７〜図３０を参照しながら説明する。
図２７は、第六実施例の箱４００Ｄの展開図で、段ボール１００Ｄである。図２８は、同上、トレーの縦仕切りの展開図で、段ボール２００Ｄである。図２９は、  同上、折り上がったトレー６００Ｄを示す斜視図である。図３０は、同上、折り上がったトレー６００Ｄの一箇所に、パック７００を載せた状態を示す平面図である。
【００４９】
第一〜第五実施例との主たる相違点は、箱４００Ｄが、真中の分割壁６１Ｄを介して、前後に二つに分割されるところにある。この分割壁は、十字形中仕切りの横仕切片を兼ねる。そして、縦仕切片を介して、左右に四半区画が形成される。全体では四区画の四半区画が形成されることは、第一〜第五実施例と同様である。
【００５０】
また、ここで、箱とは、ほぼ矩形状をした段ボール１００から、折り目に沿って、左右側壁および前後側壁として、立ち上げた直方体状のものである。さらに、中央部に分割壁を設けたもので、十字形中仕切りを形成する前の状態のものをいう。以下第六〜第十実施例についても同様である
【００５１】
ほぼ矩形状をした段ボール１００Ｄには、所定の複数箇所に折り目や切れ目等を設けてあるので、それらの設け方について以下に説明する。図２７に示すように、段ボール１００Ｄは、その左右方向の中央部を占める方形域を底面１Ｄとし、分割壁６１Ｄを介して、底面１Ｄは二つに分割されている。その左右両側辺には、箱４００Ｄの左右の側壁となる左右側壁２Ｄを、主折り目Ｋを介して連接している。この左右側壁２Ｄは、二枚重ね状に折り曲げて側壁を補強するための二重折り目Ｌを設けている。さらに、両側の左右側壁２Ｄには、外側端部に二箇所、パックを掛架支持する支持片５Ｄと、折り目Ｌ上に二箇所の突起１０Ｄを設けている。ここで、支持片５Ｄは、二重折り目Ｌに次いで、主折り目Ｋを折る際に、後述する前後側壁３Ｄに当接し、折り目Ｎに沿って強制的に拡開される。また、二重折り目Ｌを折り上げる際に、折り目Ｐを頂辺として、この両側の折り目Ｒに沿ってＶ字形に突起１０Ｄが二箇所形成される。
【００５２】
前後に二つに分割された底面１Ｄを中心にして、二つに分割された左右側壁２Ｄと前後側壁３Ｄを折り上げると、一体型の箱４００Ｄが出来上がる。ここで、分割壁６１Ｄは、分割線Ｍ‘を頂辺にして、前後に、二重に折り曲げられる。こうして形成された分割壁６１Ｄは、十字形中仕切り５００Ｄの横仕切片を兼ねる。
【００５３】
一方、左右側壁２Ｄを折り曲げる際、左右側壁２Ｄの両端部の支持片５Ｄの先端部を、前後側壁３Ｄに押し付け、開き気味に当接させながら、折り目Ｎに沿って強制的に拡開させると、パックを受ける支持片５Ｄがトレーの四隅に形成される。同様にして、分割壁６１Ｄを挟むように、左右側壁２Ｄから拡開された支持片２９Ｄが形成される。次いで、縦仕切片２１Ｄの切欠部２４Ｄおよび切欠部２４Ｄ‘を、分割壁６１Ｄに設けた切欠部３３Ｄに、嵌め込むように底面１Ｄの上に載せると、図２９に示すようなトレー６００Ｄが出来上がる。この時、縦仕切片２１に設けた係止片６９Ｄを、底面１Ｄに設けた二箇所の係止穴６８Ｄ（図２７に示す）に挿嵌させ、縦仕切片を固着する。また、縦仕切片２１Ｄの両先端の支持片２２Ｄの先端部を、前後側壁３Ｄに開き気味に当接させながら、折り目Ｗに沿って強制的に拡開させる。こうして、パックを受ける支持片２２Ｄがトレー６００Ｄの縦仕切片２１Ｄの両端の四箇所に形成される。また、縦仕切片２１Ｄの中央部に、分割壁６１Ｄを挟むように、折り目Ｗ’に沿って拡開された支持片３０Ｄが四箇所形成される。
【００５４】
パック受け台の形成について説明する。図３０には、トレー６００Ｄの四半区画の一つに、パック７００を載せた状態を示す。図示するように、トレーの四隅に形成される支持片５Ｄと分割壁６１Ｄの前後に形成される支持片２９Ｄ、３０Ｄとおよび縦仕切片２１Ｄの二箇所に形成される支持片２２Ｄは、それぞれ、パックの隅縁７３を受ける。以上のようにして、トレー６００Ｄの四半区画毎にパック受け台が形成される。本図３０では、四区画にパック受け台が形成される。ここで、それぞれ、支持片および頂面の、底面１Ｄからの高さ寸法は、パックの深さ寸法より大きい。そのため、パックの周縁部は、支持片５Ｄ、２２Ｄ、２９Ｄおよび３０Ｄの四箇所で、支えられながら、パックの底面７１は、トレー６００Ａの底面１Ｄに接触することなく、浮いた状態を保つことができる。
【００５５】
以下第七〜十実施例は、第六実施例と同様、箱４００が、真中の分割壁６１を介して、二つに分割される。この分割壁は、十字形中仕切りの横仕切片を兼ねる。そして、縦仕切片を介して、左右に四半区画が形成される。全体では四区画の四半区画が形成されることは、第六実施例と同様である。
【００５６】
以下、第七〜第十実施例の各図面に符号を付して示した各部分のうち、第六実施例の各図面と共通する符号を付した部分は、互いに共通した機能を果たす部分である。従って、第七〜第十実施例については、箱の折り上げ方、係止等の方法、また、左右側壁および前後側壁あるいは十字形中仕切片からパックを係架支持するための支持片を形成する方法等も第六実施例と同様である。分割壁も同様の機能を果たす。
【００５７】
次に、本発明の第七実施例ついて、図３１〜図３５を参照しながら説明する。
図３１は、第七実施例の箱４００Ｅの展開図で、段ボール１００Ｅである。図３２は、同上、トレーの縦仕切りの展開図で、段ボール２００Ｅである。図３３は、同上、サポートを示す展開図である。図３４は、同上、折り上がったトレー６００Ｅを示す斜視図である。図３５は、同上、折り上がったトレー６００Ｅの一箇所に、パック７００を載せた状態を示す平面図である。
【００５８】
本実施例の第六実施例との主たる相違点は、コの字形で、二箇所の支持片を設けたサポートを縦仕切片の下から挿嵌させたところにある。ここで、縦仕切片２１Ｅは、ミシン目Ｙに沿って折り曲げられる。一方、別個にコの字形のサポートに設けた支持片５１Ｅの切欠部５８Ｅを、縦仕切片２１Ｅに設けた切欠部５６Ｅ（図３２、図３３に示す）に挿嵌させる。次いで、縦仕切片に設けた切欠部２４Ｅを、分割壁６１Ｅの切欠部３３Ｅに挿嵌させる。その結果、縦仕切片を介して、左右に四半区画が形成される。全体では四区画の四半区画が形成されることは、第六実施例と同様である。
【００５９】
パック受け台の形成について説明する。図３５には、トレー６００Ｅの四半区画の一つに、パック７００を載せた状態を示す。図示するように、トレーの四隅に形成される支持片５Ｅと分割壁６１Ｅの前後に形成される支持片２９Ｅは、それぞれ、パックの隅縁７３を受ける。また、支持片５１Ｅは、パックの縦縁７４を受ける。以上のようにして、トレー６００Ｅの四半区画毎にパック受け台が形成される。本図３５では、四区画にパック受け台が形成される。ここで、それぞれ、支持片および頂面の、底面１Ｅからの高さ寸法は、パックの深さ寸法より大きい。そのため、パックの周縁部は、支持片５Ｅ、２９Ｅおよび二箇所の支持片５１Ｅの四箇所で、支えられながら、パックの底面７１は、トレー６００Ｅの底面１Ｅに接触することなく、浮いた状態を保つことができる。
【００６０】
次に、本発明の第八実施例ついて、図３６〜図４０を参照しながら説明する。
図３６は、第八実施例の箱４００Ｆの展開図で、段ボール１００Ｆである。図３７は、同上、トレーの縦仕切りの展開図で、段ボール２００Ｆである。図３８は、同上、サポートを示す展開図である。図３９は、同上、折り上がったトレー６００Ｆを示す斜視図である。図４０は、同上、折り上がったトレー６００Ｆの一箇所に、パック７００を載せた状態を示す平面図である。
【００６１】
本実施例の第七実施例との主たる相違点は、縦仕切片に挿嵌させる支持片が、コの字形に繋がったサポートではなく、個々に分離しているところにある。ここで、縦仕切片２１Ｆは、ミシン目Ｙを介して、左右に折り曲げられる。一方、個別の支持片５３Ｆの切欠部５９Ｆ（図３８に示す）を、縦仕切片２１Ｆに設けた切欠部５７Ｆに挿嵌させる。次いで、縦仕切片に設けた切欠部２４Ｆを、分割壁６１Ｆの切欠部３３Ｆに挿嵌させる。その結果、縦仕切片を介して、左右に四半区画が形成される。全体では四区画の四半区画が形成される。
【００６２】
パック受け台の形成について説明する。図４０には、トレー６００Ｆの四半区画の一つに、パック７００を載せた状態を示す。図示するように、トレーの四隅に形成される支持片５Ｆと、左右側壁２Ｆで分割壁６１Ｆの前後に形成される支持片２９Ｆは、それぞれ、パックの隅縁７３を受ける。また、支持片５３Ｆは、パックの縦縁７４を受ける。以上のようにして、トレー６００Ｆの四半区画毎にパック受け台が形成される。本図４０では、四区画にパック受け台が形成される。ここで、それぞれ、支持片および頂面の、底面１Ｆからの高さ寸法は、パックの深さ寸法より大きい。そのため、パックの周縁部は、支持片５Ｆ、２９Ｆおよび二箇所の支持片５３Ｆの四箇所で、支えられながら、パックの底面７１は、トレー６００Ｆの底面１Ｆに接触することなく、浮いた状態を保つことができる。
【００６３】
次に、本発明の第九実施例ついて、図４１〜図４４を参照しながら説明する。
図４１は、第九実施例の箱４００Ｇの展開図で、段ボール１００Ｇである。図４２は、同上、トレーの縦仕切りの展開図で、段ボール２００Ｇである。図４３は、  同上、折り上がったトレー６００Ｇを示す斜視図である。図４４は、同上、折り上がったトレー６００Ｇの一箇所に、パック７００を載せた状態を示す平面図である。
【００６４】
本実施例の第八実施例との主たる相違点は、縦仕切片に、平坦状の支持片５４Ｇを設けたところにある。ここで、縦仕切片２１Ｇは、ミシン目Ｙに沿って折り曲げられる。この時、支持片５４Ｇは、縦仕切片２１Ｇに設けられた二重折り目Ｌ‘に沿って、断面がＴ字形で、二枚重ね状に折り上げられる。分割壁６１Ｇを挟んで、縦仕切片の前後二箇所に形成される。次いで、縦仕切片に設けた切欠部２４Ｇを、分割壁６１Ｇの切欠部３３Ｇ（図４１）に挿嵌させる。その結果、縦仕切片を介して、左右に四半区画が形成される。全体では四区画の四半区画が形成されることは、第八実施例と同様である。
【００６５】
パック受け台の形成について説明する。図４４には、トレー６００Ｇの四半区画の一つに、パック７００を載せた状態を示す。図示するように、トレーの四隅に形成される支持片５Ｇと分割壁６１Ｇの前後に形成される支持片２９Ｇは、それぞれ、パックの隅縁７３を受ける。また、支持片５４Ｇは、パックの縦縁７４を受ける。以上のようにして、トレー６００Ｇの四半区画毎にパック受け台が形成される。本図４４では、四区画にパック受け台が形成される。ここで、それぞれ、支持片および頂面の、底面１Ｇからの高さ寸法は、パックの深さ寸法より大きい。そのため、パックの周縁部は、支持片５Ｇ、２９Ｇおよび支持片５４Ｇの三箇所で、支えられながら、パックの底面７１は、トレー６００Ｇの底面１Ｇに接触することなく、浮いた状態を保つことができる。
【００６６】
次に、本発明の第十実施例ついて、図４５〜図４８を参照しながら説明する。
図４５は、第十実施例の箱４００Ｈの展開図で、段ボール１００Ｈである。図４６は、同上、トレーの縦仕切りの展開図で、段ボール２００Ｈである。図４７は、  同上、折り上がったトレー６００Ｈを示す斜視図である。図４８は、同上、折り上がったトレー６００Ｈの一箇所に、パック７００を載せた状態を示す平面図である。
【００６７】
本実施例の第九実施例との主たる相違点は、縦仕切片の固定の方法である。分割壁６１Ｈを挟んで前後に、底面１Ｈに設けたスタンド６５Ｈを、折り目６７Ｈに沿って、直角に立ち上げる。このスタンド６５Ｈに設けた切欠部６６Ｈ（図４５に示す）に、縦仕切片２１Ｈに設けた係止孔７０Ｈ（図４６に示す）を挿嵌させ、縦仕切片を固着する。一方、縦仕切片２１Ｈは、ミシン目Ｙを介して、左右に折り曲げられる。この時、支持片５４Ｈは、縦仕切片２１Ｈに設けられた二重折り目Ｌ‘に沿って、断面がＴ字形で、二枚重ね状に折り上げられる。この支持片５４Ｈは、分割壁６１Ｈを挟んで、縦仕切片の前後二箇所に形成される。次いで、縦仕切片に設けた切欠部２４Ｈを、分割壁６１Ｈの切欠部３３Ｈ（図４５に示す）に挿嵌させる。その結果、縦仕切片を介して、左右に四半区画が形成される。全体では四区画の四半区画が形成されることは、第九実施例と同様である。
【００６８】
パック受け台の形成について説明する。図４８には、トレー６００Ｈの四半区画の一つに、パック７００を載せた状態を示す。図示するように、トレーの四隅に形成される支持片５Ｈと分割壁６１Ｈの前後に形成される支持片２９Ｈは、それぞれ、パックの隅縁７３を受ける。また、支持片５４Ｈは、パックの縦縁７４を受ける。以上のようにして、トレー６００Ｈの四半区画毎にパック受け台が形成される。本図４８では、四区画にパック受け台が形成される。ここで、それぞれ、支持片および頂面の、底面１Ｈからの高さ寸法は、パックの深さ寸法より大きい。そのため、パックの周縁部は、支持片５Ｈ、２９Ｈおよび支持片５４Ｈの三箇所で、支えられながら、パックの底面７１は、トレー６００Ｈの底面１Ｈに接触することなく、浮いた状態を保つことができる。
【００６９】
なお、本発明のトレーの使途は、苺、杏、サクランボ、無花果、枇杷等の青果用のトレー限らず、卵、菓子等の用途に使っても勿論よい。
【００７０】
【発明の効果】
以上に説明したように、本発明にかかわる青果等用のパック用トレーによれば、箱が一体形、分割形にかかわらず、複数の仕切り区画毎に、パック受け台を形成させることができる。そして、そのパック受け台によって、パックの周縁を掛架支持し、パックの底を浮かせるようにしたので、トレーの底面に対し、直接、青果等の重みが掛かるのを避け、青果等が傷まないような効果を奏するものである。
【図面の簡単な説明】
【図１】本発明の第一実施例の箱４００Ａの展開図で、段ボール１００Ａである。
【図２】同上、トレーの縦仕切りの展開図で、段ボール２００Ａである。
【図３】同上、トレーの横仕切りの展開図で、段ボール３００Ａである。
【図４】同上、折上がったトレー６００Ａを示す斜視図である。
【図５】同上、折上がったトレー６００Ａの一箇所に、パック７００を載せた状態を示す平面図である。
【図６】同上、パック７００の斜視図である。
【図７】本発明の第二実施例の箱４００Ｂの展開図で、段ボール１００Ｂである。
【図８】同上、トレーの縦仕切りの展開図で、段ボール２００Ｂである。
【図９】同上、トレーの横仕切りの展開図で、段ボール３００Ｂである。
【図１０】同上、折上がったトレー６００Ｂを示す斜視図である。
【図１１】同上、折上がったトレー６００Ｂの一箇所に、パック７００を載せた状態を示す平面図である。
【図１２】本発明の第三実施例の箱４００Ｃの展開図で、段ボール１００Ｃである。
【図１３】同上、トレーの縦仕切りの展開図で、段ボール２００Ｃである。
【図１４】同上、トレーの横仕切りの展開図で、段ボール３００Ｃである。
【図１５】同上、折上がったトレー６００Ｃを示す斜視図である。
【図１６】同上、折上がったトレー６００Ｃの一箇所に、パック７００を載せた状態を示す平面図である。
【図１７】本発明の第四実施例の箱４００Ｊの展開図で、段ボール１００Ｊである。
【図１８】同上、トレーの縦仕切りの展開図で、段ボール２００Ｊである。
【図１９】同上、トレーの横仕切りの展開図で、段ボール３００Ｊである。
【図２０】同上、折り上がったトレー６００Ｊを示す斜視図である。
【図２１】同上、折り上がったトレー６００Ｊの一箇所に、パック７００を載せた状態を示す平面図である。
【図２２】本発明の第五実施例の箱４００Ｋの展開図で、段ボール１００Ｋである。
【図２３】同上、トレーの縦仕切りの展開図で、段ボール２００Ｋである。
【図２４】同上、トレーの横仕切りの展開図で、段ボール３００Ｋである。
【図２５】同上、折上がったトレー６００Ｋを示す斜視図である。
【図２６】同上、折上がったトレー６００Ｋの一箇所に、パック７００を載せた状態を示す平面図である。
【図２７】本発明の第六実施例の箱４００Ｄの展開図で、段ボール１００Ｄである。
【図２８】同上、トレーの縦仕切りの展開図で、段ボール２００Ｄである。
【図２９】同上、折り上がったトレー６００Ｄを示す斜視図である。
【図３０】同上、折り上がったトレー６００Ｄの一箇所に、パック７００を載せた状態を示す平面図である。
【図３１】本発明の第七実施例の箱４００Ｅの展開図で、段ボール１００Ｅである。
【図３２】同上、トレーの縦仕切りの展開図で、段ボール２００Ｅである。
【図３３】同上、サポートを示す展開図である。
【図３４】同上、折り上がったトレー６００Ｅを示す斜視図である。
【図３５】同上、折り上がったトレー６００Ｅの一箇所に、パック７００を載せた状態を示す平面図である。
【図３６】本発明の第八実施例の箱４００Ｆの展開図で、段ボール１００Ｆである。
【図３７】同上、トレーの縦仕切りの展開図で、段ボール２００Ｆである。
【図３８】同上、サポートを示す展開図である。
【図３９】同上、折り上がったトレー６００Ｆを示す斜視図である。
【図４０】同上、折り上がったトレー６００Ｆの一箇所に、パック７００を載せた状態を示す平面図である。
【図４１】本発明の第九実施例の箱４００Ｇの展開図で、段ボール１００Ｇである。
【図４２】同上、トレーの縦仕切りの展開図で、段ボール２００Ｇである。
【図４３】同上、折り上がったトレー６００Ｇを示す斜視図である。
【図４４】同上、折り上がったトレー６００Ｇの一箇所に、パック７００を載せた状態を示す平面図である。
【図４５】本発明の第十実施例の箱４００Ｈの展開図で、段ボール１００Ｈである。
【図４６】同上、トレーの縦仕切りの展開図で、段ボール２００Ｈである。
【図４７】同上、折り上がったトレー６００Ｈを示す斜視図である。
【図４８】同上、折り上がったトレー６００Ｈの一箇所に、パック７００を載せた状態を示す平面図である。
【符号の説明】
１００Ａ〜１００Ｋ（１００）  トレーの段ボール
２００Ａ〜２００Ｋ（２００）  トレーの縦仕切りの段ボール
３００Ａ〜３００Ｋ（３００）  トレーの横仕切りの段ボール
４００Ａ〜４００Ｋ（４００）  箱
５００Ａ〜５００Ｋ（５００）  十字形中仕切り
６００Ａ〜６００Ｋ（６００）  トレー
７００  パック
１Ａ〜１Ｋ  底面
２Ａ〜２Ｋ（２）  左右側壁
３Ａ〜３Ｋ（３）  前後側壁
４Ａ〜４Ｋ  補助片
５Ａ、５Ｄ〜５Ｈ、５Ｋ（５）  支持片
６Ｂ、６Ｃ、６Ｊ（６）  支持片
７Ａ〜７Ｃ、７Ｊ  係止孔
８Ａ〜８Ｃ、８Ｊ  辺
９Ａ〜９Ｃ、９Ｊ  係止片
１０Ａ、１０Ｄ〜１０Ｊ  突起
１１Ａ  突片
１２Ａ  逃げ孔
１３Ａ  当接片
１４Ａ〜１４Ｋ  頂面
１５Ｂ、１５Ｃ、１５Ｋ  補助片
１６Ｂ  係止孔
１７Ｂ  係止孔
１８Ｃ  空気孔
１９Ｃ  係止孔
２１Ａ〜２１Ｋ（２１）  縦仕切片
２２Ａ〜２２Ｄ、２２Ｊ、２２Ｋ（２２）  支持片
２３Ａ〜２３Ｃ、２３Ｊ、２３Ｋ  係止片
２４Ａ〜２４Ｋ  切欠部
２４Ｄ‘  切欠部
２５Ａ〜２５Ｄ、２５Ｊ、２５Ｋ  通気用切欠
２６Ｃ（２６）  縦仕切頂面
２７Ｃ（２７）  支持片
２８Ｃ、２８Ｄ  突片
２９Ｄ〜２９Ｈ（２９）  支持片
３０Ｄ（３０）  支持片
３１Ａ〜３１Ｃ、３１Ｊ、３１Ｋ（３１）  横仕切片
３２Ａ〜３２Ｃ、３２Ｊ、３２Ｋ（３２）  横仕切頂面
３３Ａ〜３３Ｋ  切欠部
３４Ａ〜３４Ｃ、３４Ｆ〜３４Ｋ  通気用切欠
４１Ｃ、４１Ｋ  隅片
４２Ｃ、４２Ｋ  係止片
４３Ｃ、４３Ｋ  係止孔
４４Ｃ、４４Ｋ  折り目
５１Ｅ（５１）  支持片
５２Ｅ  サポート
５３Ｆ（５３）  支持片
５４Ｇ、５４Ｈ（５４）  支持片
５６Ｅ  切欠部
５７Ｆ  切欠部
５８Ｅ  切欠部
５９Ｅ  切欠部
６１Ｄ〜６１Ｇ  分割壁
６５Ｈ  スタンド
６６Ｈ  切欠部
６７Ｈ  折り目
６８Ｄ  係止孔
６９Ｄ  係止片
７０Ｈ  係止孔
７１  底
７２  横縁
７３  隅縁
７４  縦縁
Ｋ  主折り目
Ｌ  二重折り目
Ｌ‘  二重折り目
Ｍ  主折り目
Ｍ‘  分割線
Ｎ  折り目
Ｐ  Ｖ突起折り目
Ｑ  二重折り目
Ｒ  Ｖ突起折り目
Ｓ  折り目
Ｔ  補助片折り目
Ｕ  折り目
Ｖ  折り目
Ｗ  折り目
Ｗ‘  折り目
Ｘ  折り目
Ｙ  ミシン目
Ｚ  折り目
【図１】
2004276954.tif 000003
【図２】
2004276954.tif 000004
【図３】
2004276954.tif 000005
【図４】
2004276954.tif 000006
【図５】
2004276954.tif 000007
【図６】
2004276954.tif 000008
【図７】
2004276954.tif 000009
【図８】
2004276954.tif 000010
【図９】
2004276954.tif 000011
【図１０】
2004276954.tif 000012
【図１１】
2004276954.tif 000013
【図１２】
2004276954.tif 000014
【図１３】
2004276954.tif 000015
【図１４】
2004276954.tif 000016
【図１５】
2004276954.tif 000017
【図１６】
2004276954.tif 000018
【図１７】
2004276954.tif 000019
【図１８】
2004276954.tif 000020
【図１９】
2004276954.tif 000021
【図２０】
2004276954.tif 000022
【図２１】
2004276954.tif 000023
【図２２】
2004276954.tif 000024
【図２３】
2004276954.tif 000025
【図２４】
2004276954.tif 000026
【図２５】
2004276954.tif 000027
【図２６】
2004276954.tif 000028
【図２７】
2004276954.tif 000029
【図２８】
2004276954.tif 000030
【図２９】
2004276954.tif 000031
【図３０】
2004276954.tif 000032
【図３１】
2004276954.tif 000033
【図３２】
2004276954.tif 000034
【図３３】
2004276954.tif 000035
【図３４】
2004276954.tif 000036
【図３５】
2004276954.tif 000037
【図３６】
2004276954.tif 000038
【図３７】
2004276954.tif 000039
【図３８】
2004276954.tif 000040
【図３９】
2004276954.tif 000041
【図４０】
2004276954.tif 000042
【図４１】
2004276954.tif 000043
【図４２】
2004276954.tif 000044
【図４３】
2004276954.tif 000045
【図４４】
2004276954.tif 000046
【図４５】
2004276954.tif 000047
【図４６】
2004276954.tif 000048
【図４７】
2004276954.tif 000049
【図４８】
2004276954.tif 000050